(57)【要約】【課題】三次元的な物体の付加的な製造のための改善された装置を提供する。【解決手段】露光と、これに伴う、エネルギービームを用いて凝固化可能な構造材料３から成る構造材料層の凝固化とによって三次元的な物体２を付加的に製造するための装置１であって、プロセスガス９が貫流可能である管路構造１２と、プロセスガス９のフィルタリングのためのフィルタ装置７とを含んでいる、前記装置において、フィルタ装置７が、交換可能に管路構造１２に接続して配置されている複数のフィルタモジュール１４を含んでおり、管路構造１２に接続して配置されたフィルタモジュール１４が、フィルタモジュールがプロセスガス９によって貫流可能に管路構造１２へ接続されている動作状態と、フィルタモジュールがプロセスガス９によって貫流不能に管路構造１２へ接続された非動作状態とへ切換可能である。【選択図】図１
2020022968.tif 000002
【特許請求の範囲】
【請求項１】
連続的で層ごとの選択的な露光と、これに伴う、エネルギービームを用いて凝固化可能な構造材料（３）から成る層の連続的な層ごとの選択的な凝固化とによって三次元的な物体（２）を付加的に製造するための装置（１）であって、
付加的な構造工程の実行の範囲において生じるプロセスガス（９）が貫流可能である、少なくとも１つの管路要素を含む管路構造（１２）と、
プロセスガス（９）のフィルタリングのために設置されている、前記管路構造（１２）に接続されたフィルタ装置（７）であって、交換可能に前記管路構造（１２）に接続されるように構成された複数のフィルタモジュール（１４）を含んでおり、前記複数のフィルタモジュール（１４）が、前記フィルタ装置（７）に割り当てられた切換装置（２９）を介して個々に、プロセスガス（９）が貫流可能にそれぞれの前記フィルタモジュール（１４）が前記管路構造（１２）へ接続された動作状態と、プロセスガス（９）が貫流不能にそれぞれの前記フィルタモジュール（１４）が前記管路構造（１２）へ接続された非動作状態との間で切換可能であるフィルタ装置（７）とを有し、
前記複数のフィルタモジュール（１４）のそれぞれがフィルタモジュールハウジング（１５）を含んでおり、各フィルタモジュールハウジング（１５）が幾何学的に規定されて構成されたフィルタ体収容空間（１６）を含んでおり、該フィルタ体収容空間が、幾何学的に規定されて構成された所定数のフィルタ体（１８）を収容するように設置されており、前記複数のフィルタモジュール（１４）のそれぞれが、前記管路構造（１２）の接続インターフェース（２１，２２）に接続されているか、又は接続可能であるフィルタモジュール側の接続インターフェース（１９，２０）を含んでおり、
前記各フィルタモジュールハウジング（１５）の前記フィルタ体収容空間（１６）が、その各フィルタ体収容体積において異なっており、その結果、幾何学的に規定されて構成された異なる所定数の前記フィルタ体（１８）が各フィルタ体収容空間（１６）に収容可能であることを特徴とする装置。
【請求項２】
前記切換装置（２９）が、複数の弁ユニット（３０）を含む弁装置として形成されているか、又はこのような弁装置を含んでおり、該弁装置の前記複数の弁ユニット（３０）が、それぞれ、前記管路構造（１２）に接続して配置された１つのフィルタモジュール（１４）に割り当てられていることを特徴とする請求項１に記載の装置。
【請求項３】
前記管路構造（１２）が、複数の接続インターフェース（２１，２２）を含む接続装置を含んでおり、前記複数のフィルタモジュール（１４）のそれぞれが、対応する前記複数の接続インターフェース（２１，２２）のそれぞれを介して前記管路構造（１２）へ接続されて配置可能であることを特徴とする請求項１又は２に記載の装置。
【請求項４】
前記複数の接続インターフェース（２１，２２）のそれぞれが、対応する前記複数の弁ユニット（３０）のそれぞれに割り当てられていることを特徴とする請求項３に記載の装置。
【請求項５】
前記フィルタ装置（７）に割り当てられ、前記管路構造（１２）に接続して配置された少なくとも１つのフィルタモジュール（１４）の飽和度を示す飽和情報を検出するために設置された検出装置（３１）をさらに有する請求項１〜４のいずれか１項に記載の装置。
【請求項６】
前記飽和情報が、
前記複数のフィルタモジュール（１４）の重量あるいは重量変化、
プロセスガス（９）の圧力、あるいは前記複数のフィルタモジュール（１４）少なくとも１つの流入部分（２６）と流出部分（２７）との間のプロセスガス（９）の差圧、
前記複数のフィルタモジュール（１４）の少なくとも１つを通るプロセスガス（９）の流速、あるいは前記複数のフィルタモジュール（１４）少なくとも１つの流入部分（２６）と流出部分（２７）との間の流速差、および
前記複数のフィルタモジュール（１４）の少なくとも１つを通って流れるか、あるいは流出するプロセスガス（９）の組成、
のうちの少なくとも１つであることを特徴とする請求項５に記載の装置。
【請求項７】
前記複数のフィルタモジュール（１４）のそれぞれが、予備構成可能な、又は予備構成されたアセンブリを形成していることを特徴とする請求項１〜６のいずれか１項に記載の装置。
【請求項８】
前記複数のフィルタモジュール（１４）のそれぞれの前記接続インターフェース（１９，２０）が同一に構成されていることを特徴とする請求項１〜７のいずれか１項に記載の装置。
【請求項９】
装置側の接続インターフェース（２１，２２）には、所定の幾何学的に規定された構成のフィルタモジュールハウジング（１５）のみが接続可能であり、前記複数のフィルタモジュール（１４）のそれぞれが幾何学的に規定された構成を備えていることを特徴とする請求項１〜８のいずれか１項に記載の装置。
【請求項１０】
前記フィルタモジュールハウジング（１５）のそれぞれのフィルタ体収容空間（１６）が、前記所定数のフィルタ体をプレスばめによって収容するように構成されていることを特徴とする請求項１〜９のいずれか１項に記載の装置。
【請求項１１】
前記複数のフィルタモジュール（１４）のそれぞれが、フィルタモジュールハウジング側に配置又は形成された閉鎖装置（２３）を含んでおり、各フィルタモジュールハウジング（１５）が、前記各閉鎖装置（２３）を介して閉鎖可能な、前記各フィルタ体収容空間（１６）内へのアクセスを可能とするアクセス開口部を備えていることを特徴とする請求項１〜１０のいずれか１項に記載の装置。
【請求項１２】
前記各フィルタモジュールハウジング（１５）が、プロセスガス（９）が貫流可能な流れ通路構造（２５）を含み、該流れ通路構造（２５）が、フィルタされるべきプロセスガス（９）を前記フィルタモジュール（１４）へ流入させるための流入部分（２６）を含む第１の流れ通路構造部分（２５ａ）と、フィルタされたプロセスガス（９）を前記フィルタモジュール（１４）から流出させるための流出部分（２７）を含む第２の流れ通路構造部分（２５ｂ）とを含んでおり、フィルタモジュールハウジング側で含まれる前記各フィルタ体収容空間（１６）内に収容された前記所定数のフィルタ体（１８）が、前記第１の流れ通路構造部分（２５ａ）と前記第２の流れ通路構造部分（２５ｂ）の間に配置されていることを特徴とする請求項１〜１１のいずれか１項に記載の装置。
【請求項１３】
前記第１の流れ通路構造部分（２５ａ）が、前記フィルタ体（１８）によりフィルタされるべきプロセスガス（９）を特定してガイドする、流れガイド要素（２８）を有する請求項１２に記載の装置。
【請求項１４】
前記流れガイド要素（２８）が、円すい形である請求項１３に記載の装置。
【発明の詳細な説明】
【技術分野】
【０００１】
本発明は、請求項１の前提部分の更なる特徴を有する、連続的で層ごとの選択的な露光と、これに伴う、エネルギービームを用いて凝固化可能な構造材料から成る構造材料層の連続的で層ごとの選択的な凝固化とによって三次元的な物体を付加的に製造するための装置に関するものである。
【背景技術】
【０００２】
三次元的な物体を付加的に製造するための適当な装置は、例えば、選択的レーザ焼結法あるいは選択的レーザ溶融法を実行するための装置の形態で基本的に知られている。
【０００３】
適当な装置は、典型的には、少なくとも１つの特に配管状の管路要素を含む管路構造と、管路構造に接続されたフィルタ装置とを含んでいる。管路構造は、付加的な構造工程の実行の範囲において装置のプロセスチャンバ内で生じる、特にプロセスに起因して生じる汚濁物を含むプロセスガスによって貫流可能である。フィルタ装置は、プロセスガスのフィルタリングのために設置されている。
【０００４】
これまでは、例えばフィルタ装置に属するフィルタモジュールの飽和状態に達して例えば適当なフィルタモジュールの交換のために一時的に非動作とされる場合に、フィルタ装置が適当な装置の動作は中断される必要がある。装置の動作、すなわち付加的な構造工程の実行は、フィルタ装置の動作も可能である場合にのみ可能である。
【０００５】
このことは、特に付加的な構造工程の実行の効率的で連続的な実行に関して改善の余地のあるものである。
【発明の概要】
【発明が解決しようとする課題】
【０００６】
本発明の基礎をなす課題は、特に付加的な構造工程の実行の効率的で連続的な実行に関して、三次元的な物体の付加的な製造のための改善された装置を提供することにある。
【課題を解決するための手段】
【０００７】
上記課題は、請求項１による装置によって解決される。各従属性流行は、装置の考えられる実施形態に関するものである。
【０００８】
ここに記載された装置（「装置」）は、連続的で層ごとの選択的な露光と、これに伴う、凝固化可能な構造材料から成る構造材料層の凝固化とによる、三次元的な物体、すなわち例えば技術的な部材あるいは技術的な部材群を付加的に製造するために設置されている。構造材料は、粒子状あるいは粉体状の金属材料、合成樹脂材料及び／又はセラミック材料であり得る。選択的に凝固化されるべき各構造材料層の選択的な凝固化は、物体に関する構造データに基づきなされる。適当な構造データは、付加的に製造されるべき各物体の幾何学的−構造上の形状を示すものであり、例えば付加的に製造されるべき各物体の「スライスされた」ＣＡＤデータを含むことができる。装置は、ＳＬＭ装置、すなわち選択的レーザ溶融法（ＳＬＭ法）を実行する装置として、又はＳＬＳ装置、すなわち選択的レーザ焼結法（ＳＬＳ法）を実行する装置として形成されることが可能である。
【０００９】
装置は、付加的な構造工程の実行に典型的に必要な機能構成要素を含んでいる。これには、特に（装置の構造平面内で）選択的に凝固化されるべき構造材料層の形成のために設置された積層装置と、（装置の構造平面内で）選択的に凝固化されるべき構造材料層の選択的な露光装置とが含まれる。積層装置は、典型的には複数の構成要素、すなわち例えば特にブレード状の積層工具を含む積層要素と、積層要素を所定の運動軌道に沿ってガイドするためのガイド装置とを含んでいる。露光装置も、典型的には複数の構成要素、すなわち例えばエネルギービームあるいはレーザビームを発生させるためのビーム発生装置と、ビーム発生装置によって発生されるエネルギービームあるいはレーザビームを選択的に固化されるべき積層装置の露光されるべき範囲へ偏向させるためのビーム偏向装置（スキャナ装置）と、例えばレンズ要素、対物レンズ要素のような様々な光学的な要素とを含んでいる。
【００１０】
上述の装置の機能構成要素は、典型的には、典型的には不活性化可能なプロセスチャンバに、又はこのプロセスチャンバ内に配置又は形成されている。
【００１１】
装置は、特に配管状の管路要素を含む管路構造あるいは配管構造（「管路構造」）を含んでおり、この管路構造あるいは配管構造は、付加的な構造工程の実行の範囲において装置のプロセスチャンバ内で生じる、特にプロセスに起因して生じる汚濁物を含むプロセスガスによって貫流可能あるいは貫流されている。プロセスガスにおける、あるいは管路構造を貫流するプロセスガス流における対応する汚濁物は、特にプロセスに起因して生じるスモーク粒子若しくはスモーク残滓粒子及び／又は凝固化されていない構造材料粒子（「溶接スプラッシュ」）である。管路構造は、特に（フィルタされるべき）プロセスガスがプロセスチャンバから管路構造へ流れることができる、流出開口部を含むプロセスチャンバの流出範囲へ管路要素（部分）で接続されており、特に（フィルタされた）プロセスガスが管路構造からプロセスチャンバへ流れることができる、流入開口部を含むプロセスチャンバの流入範囲へ別の管路要素（部分）で接続されている。
【００１２】
さらに、装置は、付加的な構造工程の実行の範囲において装置のプロセスチャンバ内で生じる、特にプロセスに起因して生じる汚濁物を含むプロセスガスのフィルタリングのために設置されている、管路構造へ接続されたフィルタ装置を含んでいる。プロセスガスのフィルタリングは、適当な汚濁物をプロセスガスから除去することと理解されるべきである。フィルタされるべきプロセスガスにおける適当な汚濁物は、上述のように、特にプロセスに起因して生じるスモーク粒子若しくはスモーク残滓粒子及び／又は凝固化されていない構造材料粒子（「溶接スプラッシュ」）である。
【００１３】
フィルタ装置は、複数の、すなわち少なくとも２つのフィルタモジュールを含んでいる。各フィルタモジュールは、フィルタモジュールハウジングを含んでいる。各フィルタモジュールハウジングは、流入側を形成する流入部分と、流出側を形成する流出部分と、流入部分と流出部分の間に配置されているか、又は形成されている、幾何学的に規定して構成されたフィルタ体収容空間とを含んでいる。後述のように、フィルタ体収容空間は、幾何学的に規定して構成された所定の数のフィルタ体（のみ）を収容するために設置されていることが可能である。その幾何学的な構成にかかわらず、フィルタ体は、例えば組織様の、多孔性の、又は細胞状のフィルタ材料で形成されているか、あるいは少なくとも１つのこのようなものを含んでいる。
【００１４】
合目的には、各フィルタモジュールは、予備構成可能な、又は予備構成された、個別に操作可能なアセンブリを形成している。したがって、各フィルタモジュールの操作が容易化されており、フィルタモジュールは、特に自動化可能あるいは自動化されて、問題なく、例えば交換あるいは取り換えに関連して操作されることが可能である。
【００１５】
フィルタモジュールは、（必要に応じて）交換可能に管路構造へ接続されて配置可能であるか、又は配置されている。したがって、フィルタモジュールは、これらフィルタモジュールが管路構造へ接続されているように、管路構造において配置されることが可能である。管路構造に接続して配置されたフィルタモジュールは、管路構造を貫流するプロセスガスによって貫流されることが可能である。管路構造に接続されて配置されたフィルタモジュールにより、基本的にプロセスガスのフィルタリングが可能となる。
【００１６】
管路構造に接続して配置された各フィルタモジュールは、個別に、すなわち個々に、グループで、又は全体で、フィルタ装置に割り当てられた切換装置を介して、各フィルタモジュールがプロセスガスによって貫流可能に管路構造へ接続されている各動作状態へ、及び各フィルタモジュールがプロセスガスによって貫流不能に管路構造へ接続されている各非動作状態へ切換可能である。したがって、切換装置は、複数の、すなわち少なくとも２つの切換位置を含んでおり、これら切換位置を介して、各フィルタモジュールの適当な動作状態あるいは非動作状態が実行され得る。したがって、各切換位置は、フィルタモジュールの各動作状態あるいは非動作状態に割り当てられている。切換装置の適当な切換位置は、例えば、管路構造を貫流するプロセスガスが切換装置の第１の例示的な切換位置において管路構造へ接続されて配置された１つのみのフィルタモジュールを貫流し装置の別の例示的な切換位置において少なくとも２つの、場合によっては全ての、管路構造へ接続されて配置されたフィルタモジュールを貫流するように実現されていることが可能である。プロセスガスの実際のフィルタリングは、少なくとも１つの、管路構造へ接続されて配置され動作状態へ切り換えられたフィルタモジュールによって可能である。
【００１７】
動作状態及び非動作状態へのフィルタモジュール個別の切換の可能性によって、個々のフィルタモジュール、すなわち特に例えば飽和状態へ戻されるべき制限されたフィルタ性能を有するか、又は個別のフィルタモジュールの故障を有するフィルタモジュールの交換時にも、フィルタ装置の動作が可能である。この場合、プロセスガスのフィルタリングは、少なくとも１つの、継続して管路構造において接続して配置され、動作状態へ切り換えられたフィルタモジュールによって保証されている。フィルタモジュールを交換するために、このフィルタモジュールは、切換装置によって非動作状態に切り換えられることができる。非動作状態へ切り換えられたフィルタモジュールは、管路構造を貫流するプロセスガス流から分離されているとともに、管路構造へ接続されているその配置から容易に取り外されることが可能である。
【００１８】
これにより、例えば飽和状態へ到達してフィルタモジュールが交換されるべきあるいは交換される場合には、装置の動作が中断される必要がある。フィルタモジュールの交換は、原則的に装置の動作中、すなわち付加的な構造工程の実行中でさえも行われることが可能である。これにより、付加的な構造工程の特に効率的で連続的な実行に関して、三次元的な物体の付加的な製造のための改善された装置が存在する。
【００１９】
切換装置は、複数の弁ユニットを含む弁装置として形成されることができるか、又はこのような弁装置を含むことが可能である。切換装置に属する制御装置を介して典型的には個々に作動可能な、弁装置の弁ユニットは、それぞれ管路構造に接続されて配置されたフィルタモジュールに割り当てることが可能であるか、又は割り当てられている。各弁ユニットは、各弁ユニットに割り当てられたフィルタモジュールがプロセスガスによって貫流され得る第１の切換位置と、各弁ユニットに割り当てられたフィルタモジュールがプロセスガスによって貫流され得ない第２の位置とへもたらされることが可能である。したがって、弁ユニットの切換位置は、弁ユニットに割り当てられたフィルタモジュールの動作状態あるいは非動作状態と互いに関係づけられている。したがって、弁ユニットの切換位置は、フィルタモジュールの動作状態あるいは非動作状態に割り当てられている。したがって、切換装置の切換位置は、弁装置に属する弁ユニットの各切換位置を介して実行され得る。適当な弁ユニットは、例えば切換弁として形成されることができるか、又はこのような切換弁を含むことができる。
【００２０】
管路構造は、複数の接続インターフェースを含む接続装置を含むことができ、各フィルタモジュールは、各接続インターフェースを介して管路構造へ接続して配置可能である。したがって、各接続インターフェースは、フィルタモジュールを管路構造に接続して配置するように設置されることが可能である。弁ユニットは、典型的には各接続インターフェースに割り当てられており、したがって、各接続インターフェースが典型的には弁ユニットを備えている。
【００２１】
各フィルタモジュールも接続インターフェースを含んでおり、これら接続インターフェースを介して、フィルタモジュールが必要に応じて管路構造の接続装置の各接続インターフェースへ接続可能であるか、又は接続されている。管路構造側の接続インターフェースは、例えばフランジ範囲を含む接続パイプ部を含むことができる。フィルタモジュール側の接続インターフェースも、例えばフランジ範囲を含む接続パイプ部を含むことが可能である。管路構造側の接続インターフェースも、又はフィルタモジュール側の接続インターフェースも、合目的には同一に（同様に）構成されている。これにより、各フィルタモジュールの必要に応じた交換あるいは後述する必要に応じて取り換えが容易化される。
【００２２】
管路構造側あるいはフィルタモジュール側の各接続インターフェースは、適切な固定要素及びシール要素を含むことが可能である。上述のように、接続インターフェースは、フランジ範囲を含む接続パイプ部として形成されることができる。各接続パイプ部あるいはフランジ範囲は、典型的には固定要素及びシール要素を含んでいる。各固定要素は、フィルタモジュールを不変の位置固定された位置決めにおいて管路構造側の接続インターフェースに固定するために設置されることができる。各固定要素は、管路構造側の接続インターフェースにおけるフィルタモジュールの係合式及び／又は嵌合式の固定を可能とするものである。管路構造側の接続インターフェースにおけるフィルタモジュールの係合式あるいは嵌合式の固定を可能とする固定要素は、例えば固定クランプあるいは張力クランプであり得る。したがって、適当な固定要素は、例えば部分リング形又は完全リング形あるいは部分リング状又は完全リング状の固定クランプあるいは張力クランプであり得るか、あるいはこれを含むことが可能である。適当なシール要素は、例えばシールリングであり得るか、あるいはシールリングを含むことが可能である。
【００２３】
装置はフィルタ装置に割り当てられた検出装置を含むことができ、この検出装置は、管路構造へ接続して配置された少なくとも１つのフィルタモジュールの最新の、及び／又は将来の飽和度を示す飽和情報の特に自動化可能あるいは自動化された検出のために設置されている。したがって、検出装置によって、フィルタモジュールの最新の、及び／又は将来の飽和度を検出することができ、その結果、場合によってはなされるフィルタモジュールの交換が早期に、あるいは適時に行うことが可能である。
【００２４】
飽和情報は、フィルタモジュールの飽和度あるいは飽和状態を示す、飽和度に依存したパラメータを示すことができる。適当なパラメータは、例えば、飽和度に依存したフィルタモジュールの重量あるいは飽和度に依存したフィルタモジュールの重量変化、飽和度に依存したプロセスガスの圧力あるいはフィルタモジュールの流入部分とフィルタモジュールの流出部分の間の、飽和度に依存したプロセスガスの差圧（圧力差）、及びフィルタモジュールを通る、特にプロセスガス流を生じさせるポンプ装置の出力と比較した、飽和度に依存したプロセスガスの流速、あるいはフィルタモジュールの流入部分と流出部分の間の飽和度に依存した流速差又はフィルタモジュールを通って流れるか、あるいはフィルタモジュールから流出するプロセスガスの飽和度に依存した組成であり得る。
【００２５】
各フィルタモジュールのフィルタモジュールハウジングのフィルタ体収容空間が幾何学的に規定して構成された所定の数のフィルタ体（のみ）を収容するために設置されることが可能であることが言及された。換言すれば、各フィルタ体収容空間は、その内部に収容可能な、あるいは収容されたフィルタ体に関して、各フィルタモジュールについて規定された数の幾何学的に規定して構成されたフィルタ体のみがこのフィルタ体収容空間内に収容され得るように幾何学的に規定されて構成されることができ、すなわち、幾何学的−構造的に寸法設定されることができる。
【００２６】
例えば、フィルタハウジングあるいはフィルタ体収容空間は、所定の寸法、すなわち所定の外径及び内径並びに所定の高さを有する（中空）円筒状の基本形状を備えることが可能である。適当なフィルタ体収容空間は、所定の寸法を有する円筒あるいは中空円筒として規定して構成されており、このフィルタ体収容空間内には、その幾何学的に規定された構成により、幾何学的に規定されて構成された所定の数のフィルタ体、すなわち外径及び内径並びに高さあるいは全高がフィルタ体収容空間に適合されているリング状あるいはリングセグメント状の基本形状を有するフィルタ体のみを収容することができる。この構成は、当然、（中空）円筒状とは異なる基本形状を有するフィルタモジュールハウジングあるいはフィルタ体収容空間についても同様に当てはまる。
【００２７】
したがって、各フィルタ体収容空間は空間的に規定されたフィルタ体収容空間体積（「体積」）を備えており、このフィルタ体収容空間体積内には、それぞれ幾何学的に規定されて構成された所定の数のフィルタ体（のみ）が収容可能であるか、あるいは収容されている。幾何学的に規定されて構成された所定の数のフィルタ体は、１の数とも理解されることができ、すなわち、フィルタ体収容空間内には１つのみの（唯一の）幾何学的に規定して構成されたフィルタ体も収容可能であるか、あるいは収容され得る。
【００２８】
フィルタモジュールのフィルタモジュールハウジングは、それぞれ幾何学的に規定して構成されたフィルタモジュールハウジング側で含まれるフィルタ体収容空間内に収容可能あるいは収容された幾何学的に規定して構成されたフィルタ体の各所定の数において異なっていてよい。したがって、各フィルタモジュールハウジングのフィルタ体収容空間はその各フィルタ体収容空間体積において異なっていてよく、各フィルタ体収容空間内には、幾何学的に規定されて構成された所定の数のフィルタ体のみが収容可能である。しかしながら、当然、フィルタモジュールのフィルタモジュールハウジングがそれぞれ幾何学的に規定されて構成されたフィルタモジュールハウジング側で含まれるフィルタ体収容空間内に収容可能あるいは収容された幾何学的に規定されて構成されたフィルタ体の各所定の数において異なっていないことも考えられる。したがって、各フィルタモジュールハウジングのフィルタ体収容空間は、各フィルタ体収容体積において同一であることができ、各フィルタ体収容空間内には幾何学的に規定されて構成された同一の所定の数のフィルタ体が収容可能である。
【００２９】
幾何学的に規定された所定の構成のフィルタ体を基礎として、第１のフィルタモジュールは、第１の数のこのようなフィルタ体が収容可能あるいは収容されているフィルタ体収容空間を含むことができ、第２の（あるいは別の）フィルタモジュールは、第１の数とは異なる第２の数のこのようなフィルタ体が収容可能あるいは収容されているフィルタ体収容空間を含むことができる。例えば、第１のフィルタモジュールは、１つのみのこのようなフィルタ体が収容可能あるいは収容されているフィルタ体収容空間を含むことができ、第２のフィルタモジュールは、第１のフィルタモジュールのフィルタ体収容空間に関して少なくとも１つの別のこのようなフィルタ体が収容可能あるいは収容されているフィルタ体収容空間を含むことができ、第３のフィルタモジュールは、第２のフィルタモジュールのフィルタ体収容空間に関して少なくとも１つの別のこのようなフィルタ体が収容可能あるいは収容されているフィルタ体収容空間を含むことができ、以下同様である。
【００３０】
フィルタ体収容空間内に複数のフィルタ体が収容されていれば、これらフィルタ体は、例えば積層状に互いに重なり合って配置されることが可能である。このとき、フィルタ体は、互いに一直線に配置されることができる。フィルタ体がリング形あるいはリング状に、一般にフィルタ体側で規定された内部空間によって形成されていれば、フィルタ体側で規定された各内部空間は互いに一直線となり得る。各フィルタ体の互いに重なり合った積層状の配置に代えて、各フィルタ体の互いに隣り合った列状の配置も考えられる。
【００３１】
上述のように、各フィルタモジュールは、（２つの）接続インターフェースを含んでおり、これら接続インターフェースを介して、フィルタモジュールが装置側の管路構造の所定の管路構造側の接続インターフェースに必要に応じて接続可能であるか、又は接続されている。したがって、所定の付加的な構造工程についてフィルタ装置の効率的な動作を保証するために、フィルタ装置に属するフィルタモジュールは、その各飽和度にかかわらず、必要に応じて交換されることが可能である。これにより、必要に応じてフィルタモジュールが比較的大きな、又は比較的小さな最大にフィルタ可能なフィルタ体積と共に用いられ得るときに、フィルタ装置の効率的な動作に対して合目的であり得る可変に適合可能なフィルタサイズを有するフィルタ装置が存在する。フィルタサイズは、異なるフィルタモジュールの使用によって、あるいは各フィルタモジュールのフィルタモジュールハウジングのフィルタ体収容空間内に収容されるフィルタ体の異なる数によって規定されている。
【００３２】
典型的には幾何学的に規定された所定の構成の、特に所定の長さのフィルタモジュールハウジングのみが管路構造側の接続インターフェースに接続可能あるいは接続されている。したがって、典型的には幾何学的に規定された所定の構成の、特に所定の長さのフィルタモジュールハウジングのみが管路構造側の接続インターフェースに接続されることが可能である。したがって、フィルタ装置に属するフィルタモジュールは、合目的には幾何学的に規定された適当な構成、特に適当な長さを備えている。幾何学的に規定されたフィルタモジュールの構成により、管路構造側の接続範囲におけるフィルタモジュールの特に正確な接続あるいは正確な配置が可能となる。
【００３３】
フィルタモジュールハウジング側で含まれるフィルタ体収容空間内での各フィルタ体の（位置）安定的な配置を保証するために、各フィルタ体収容空間内に収容された１つ又は複数のフィルタ体が圧力ばめあるいはプレスばめによって各フィルタ体収容空間内に収容されることが可能である。圧力ばめあるいはプレスばめは、各フィルタ体収容空間内に収容されたフィルタ体のフィルタ体収容空間に対するある程度の内径過大によって形成されることが可能である。
【００３４】
各フィルタモジュールは、フィルタモジュールハウジング側に配置又は形成された閉鎖装置を含むことが可能である。各フィルタモジュールハウジングは、各閉鎖装置によって閉鎖可能な、各フィルタ体収容空間内へのアクセスを可能とするアクセス開口部を備えることが可能である。閉鎖装置とアクセス開口部の相互作用によって、場合によっては、すなわち例えば保守点検の目的で必要な、各フィルタ体収容空間内に収容された１つ又は複数のフィルタ体の交換が可能である。
【００３５】
閉鎖装置は、場合によっては可動にフィルタモジュールハウジングに配置又は形成されたカバー状の閉鎖要素を含むことができる。閉鎖要素は、フィルタ体収容空間へのアクセスが可能であるように閉鎖要素がアクセス開口部に対して相対的に移動されている開放位置と、フィルタ体収容空間へのアクセスが不可能であるように閉鎖要素がアクセス開口部に対して相対的に移動されている閉鎖位置との間で（旋回）移動可能に支持されている。閉鎖要素は、閉鎖位置において、典型的にはフィルタ体収容空間が流体密に閉鎖されているようにアクセス開口部に対して相対的に、すなわち特にアクセス開口部に対して移動されている。
【００３６】
各フィルタモジュールハウジング内には、プロセスガスあるいはプロセスガス流によって貫流可能な、あるいはフィルタ装置の動作中に貫流される流れ通路構造が形成され得る。流れ通路構造は、フィルタされるべきプロセスガスあるいはフィルタされるべきプロセスガス流をフィルタモジュールへ流入させるための特に配管状の流入側を形成する流入部分を含む第１の流れ通路構造部分と、フィルタされたプロセスガスあるいはフィルタされたプロセスガス流をフィルタモジュールから流出させるための特に配管状の流出側を形成する流出部分を含む第２の流れ通路構造部分とを含むことができる。両流れ通路構造部分は互いに連通している。それぞれフィルタモジュール側で含まれるフィルタ体収容空間内に収容された１つ又は複数のフィルタ体は、第１の流れ通路構造部分と第２の流れ通路構造部分の間に配置されている。
【００３７】
本発明を図面における実施例に基づき詳細に説明する。
【図面の簡単な説明】
【００３８】
【図１】一実施例による装置の原理図である。
【図２】一実施例によるフィルタモジュールの原理図である。
【図３】一実施例によるフィルタモジュールの原理図である。
【発明を実施するための形態】
【００３９】
図１には、一実施例による装置１の原理図が示されている。図１では、装置１における後述の原理の説明に関連する部分のみが切断された視点において示されている。
【００４０】
装置１は、連続的で層ごとの選択的な露光及びこれに伴う、レーザビーム５によって凝固化可能な構造材料３すなわち例えば金属粉体から成る構造材料層の連続的で層ごとの選択的な凝固化によって、三次元的な物体２、すなわち特に技術的な部材あるいは技術的な部材群の付加的な製造に用いられる。凝固化されるべき各構造材料層の選択的な凝固化は、物体に関連した構造データに基づいてなされる。適当な構造データは、付加的に製造されるべき各物体２の幾何学的な、あるいは幾何学的−構造上の形状を示すとともに、製造されるべき物体２の例えば「スライスされた」ＣＡＤデータを含むことができる。装置１は、ＬａｓｅｒＣＵＳＩＮＧ（登録商標）装置として、すなわち選択的レーザ溶融法を実行するための装置として形成されることができる。
【００４１】
装置１は、付加的な構造工程の実行に必要な機能構成要素を含んでいる。これには、（装置１の構造平面において）選択的に凝固化されるべき構造材料層を形成するために設置されている積層装置１７と、（装置１の構造平面において）選択的に凝固化されるべき構造材料層を選択的に露光させるために設置されている露光装置４とが含まれる。積層装置１７は、複数の構成部材（不図示）、すなわち特にブレード状の積層工具を含む積層要素と、所定の運動軌道に沿って積層要素をガイドするためのガイド装置とを含んでいる。露光装置４も、複数の構成部材（不図示）、すなわちレーザビーム５を発生させるためのレーザビーム発生装置と、このレーザビーム発生装置によって発生するレーザビーム５を選択的に凝固化されるべき構造材料層の露光されるべき範囲へ偏向させるためのビーム偏向装置と、典型的にはビーム発生装置とビーム偏向装置の間に配置されている、例えば対物レンズ要素、レンズ要素などの様々な光学的な要素とを含んでいる。
【００４２】
装置１の上述の機能構成要素は、装置１のプロセスチャンバ８に、又はこのプロセスチャンバ内に配置又は形成されている。プロセスチャンバ８は、不活性化されており、すなわち例えばアルゴン、窒素などのような不活性ガスで満たされている。
【００４３】
さらに、装置１は、付加的な構造工程の実行の範囲でプロセスチャンバ８内において生じる、特にプロセスに起因して生じる汚濁物を含むプロセスガス９が貫流可能あるいは貫流する管路構造１２を含んでいる。プロセスチャンバ８を通るプロセスガス９の流れ、すなわちプロセスガス流は、プロセスチャンバ８内の矢印によって示唆されている。プロセスガス９における適当な汚濁物は、特にプロセスに起因して生じるスモーク粒子又はスモーク残滓粒子であり、及び／又は凝固化されていない構造材料粒子（「溶接スプラッシュ」）である。管路構造１２は、特に（フィルタされるべき）プロセスガス９がプロセスチャンバ８から管路構造１２へ流れることができるか、あるいは流れる、流出開口部を含むプロセスチャンバ８の流出範囲１０へ管路要素（部分）で接続されており、特に（フィルタされた）プロセスガス９が管路構造１２からプロセスチャンバ８へ還流することができる、流入開口部を含むプロセスチャンバ８の流入範囲１へ別の管路要素（部分）で接続されている。プロセスチャンバ８と管路構造１２によって閉じた流れ回路が形成されていることが分かる。したがって、プロセスガス９は、プロセスチャンバ８と管路構造１２の間において、閉じた流れ回路内で流れる。
【００４４】
フィルタ装置７と、管路構造１２を通る、すなわちフィルタ装置７も通るプロセスガス９の流れを可能とする吸引流を発生させるために設置されているポンプ装置１３とが、管路構造あるいは配管構造１２に接続されている。
【００４５】
フィルタ装置７は、付加的な構造工程の実行の範囲においてプロセスチャンバ８内で生じる、特にプロセスに起因して生じる汚濁物を含むプロセスガス９をフィルタリングするために設置されているとともに、複数の、すなわち少なくとも２つのフィルタモジュール１４を含んでいる。各フィルタモジュール１４は、フィルタモジュールハウジング１５を含んでいる。各フィルタモジュールハウジング１５は、流入側を形成する流入部分２６と、流出側を形成する流出部分２７と、流入部分２６と流出部分２７の間に配置又は形成され幾何学的に規定して構成されたフィルタ体収容空間１６（図２、図３参照）とを含んでいる。各フィルタモジュール１４は、予備構成可能な、又は予備構成された、個別に操作可能なアセンブリを形成することが可能である。
【００４６】
フィルタモジュール１４は、（必要に応じて）交換可能に管路構造１２へ接続して配置可能であるか、あるいは配置されており、すなわち、したがってフィルタモジュールは、図１に示されているように管路構造１２に接続されているように管路構造１２に配置されることが可能である。管路構造１２に接続されたフィルタモジュール１４は、管路構造１２を貫流するプロセスガス９によって貫流されることができるとともに、基本的にプロセスガス９のフィルタリングを可能とするものである。
【００４７】
管路構造１２に接続して配置されたフィルタモジュール１４は、個別に、すなわち個々に、グループ又は全体で、フィルタ装置７に割り当てられた切換装置２９を介して、各フィルタモジュール１４がプロセスガス９によって貫流可能に管路構造１２に接続されている各動作状態と、各フィルタモジュール１４がプロセスガス９によって貫流不能に管路構造１２に接続されている各非動作状態とへ切換可能である。したがって、切換装置２９は、複数の、すなわち少なくとも２つの切換位置を含んでおり、これら切換位置を介して、各フィルタモジュール１４の適当な動作状態あるいは非動作状態が実行され得る。切換装置２９の適当な切換位置は、例えば、プロセスガス９が第１の例示的な切換位置において１つのフィルタモジュール１４のみを貫流し、別の例示的な切換位置では少なくとも２つの、場合によっては全てのフィルタモジュール１４を貫流するように実現されることができる。プロセスガス９の実際のフィルタリングは、管路構造１２に接続されて配置され、動作位置へ切り換えられている少なくとも１つのフィルタモジュールによってのみ可能である。
【００４８】
各動作状態及び非動作状態へのフィルタモジュール１４の個別の切換の可能性によって、フィルタ装置７の動作が、個々のフィルタモジュール１４、すなわち特に例えば飽和状態へ戻す制限されたフィルタ能力を有するフィルタモジュール１４の交換時にも、又は個々のフィルタモジュール１４の故障時にも可能である。この場合、プロセスガス９のフィルタリングは、少なくとも１つの、継続して管路構造１２に接続して配置された、動作状態へ切り換えられたフィルタモジュール１４によって保証されている。フィルタモジュール１４を交換するために、このフィルタモジュールは、切換装置２９を介して非動作状態へ切り換えられるべきであり、管路構造１２を貫流するプロセスガス流から分離され、その結果、管路構造１２へ接続されたその配置から容易に取り出されることができる。
【００４９】
切換装置２９は、複数の、例えば切換弁として形成された弁ユニット３０（示唆的に飲み図示）を含む弁装置（不図示）として形成されている。各弁ユニット３０は、それぞれ管路構造１２へ接続されて配置されたフィルタモジュール１４に割り当て可能又は割り当てられているとともに、切換装置２９に属する制御装置（不図示）を介して個々に作動可能である。各弁ユニット３０は、各弁ユニット３０に割り当てられたフィルタモジュール１４がプロセスガス９により貫流されることが可能な第１の切換位置へもたらされることができるとともに、各弁ユニット３０に割り当てられたフィルタモジュール１４からプロセスガス９により貫流されることができない第２の切換位置へもたらされることができる。したがって、弁ユニット３０の切換位置は、弁ユニット３０に割り当てられたフィルタモジュール１４の動作状態あるいは非動作状態と関連しており、すなわち各フィルタモジュール１４の動作状態あるいは非動作状態に割り当てられている。したがって、切換装置２９の切換は、弁ユニット３０の各切換位置によって実行され得る。
【００５０】
管路構造１２は、複数の接続インターフェース２１，２２を含む接続装置（不図示）を含んでいる。フィルタモジュール１４が各接続インターフェース２１，２２を介して管路構造１２に接続されて配置されていることが分かる。したがって、各接続インターフェース２１，２２は、フィルタモジュール１４を管路構造１２に接続して配置するように設置されている。各接続インターフェース２１，２２には、弁ユニット３０が割り当てられており、したがって、各接続インターフェース２１，２２は、弁ユニット３０を備えている。
【００５１】
フィルタモジュール１４もそれぞれ接続インターフェース１９，２０を含んでおり、これらインターフェースを介してフィルタモジュールが必要に応じて管路構造１２の接続装置の各接続インターフェース２１，２２へ接続可能であるか、又は接続されている。管路構造側の接続インターフェース２１，２２は、フランジ範囲を含む接続パイプ部を含むことが可能である。フィルタモジュール側の接続インターフェース１９，２０も、フランジ範囲を含む接続パイプ部を含むことが可能である。管路構造側のインターフェースも、またフィルタモジュール側の接続インターフェースも、同一に（同様に）構成されている。このことは、フィルタモジュール１４の必要に応じた交換あるいは後述の必要に応じた取り換えを容易にするものである。
【００５２】
装置１はフィルタ装置７に割り当てられた検出装置３１を含むことができ、この検出装置は、管路構造１２に接続されて配置された各フィルタモジュール１４の最新の、及び／又は将来の飽和度を示す飽和情報の特に自動化可能あるいは自動化された検出のために設置されている。検出装置３１により、各フィルタモジュール１４の最新の、及び／又は将来の飽和度を検出することができ、その結果、場合によっては必要なフィルタモジュール１４の交換を早期に、あるいは適時に行うことが可能である。
【００５３】
飽和情報は、フィルタモジュール１４の飽和度あるいは飽和状態を示す飽和度に依存するパラメータを示すことができる。適当なパラメータは、例えば、飽和度に依存したフィルタモジュール１４の重量あるいは飽和度に依存したフィルタモジュール１４の重量変化、飽和度に依存したプロセスガス９の圧力あるいはフィルタモジュール１４の流入部分２６とフィルタモジュールの流出部分２７の間の、飽和度に依存したプロセスガス９の差圧（圧力差）、及びフィルタモジュール１４を通る、特にプロセスガス流を生じさせるポンプ装置１３の出力と比較した、飽和度に依存したプロセスガス９の流速、あるいはフィルタモジュール１４の流入部分２６と流出部分２７の間の飽和度に依存した流速差又はフィルタモジュール１４を通って流れるか、あるいはフィルタモジュール１４から流出するプロセスガス９の飽和度に依存した組成であり得る。
【００５４】
図２及び図３には、それぞれ一実施例によるフィルタモジュール１４の原理図が（長手）断面における視点において示されている。
【００５５】
図２及び図３に基づき、フィルタモジュール１４のフィルタ体収容空間１６が幾何学的に規定されて構成された所定の数（のみ）のフィルタ体１８の収容のために設置され得ることが分かる。各フィルタ体収容空間１６は、その内部に収容可能な、あるいは収容されたフィルタ体１８に関して、このフィルタ体収容空間内には幾何学的に規定されて構成されたフィルタ体１８の各フィルタモジュール１４のために規定された数のみが収容され得るように、幾何学的に規定されて構成されることができ、すなわち幾何学的−構造上寸法設定されることができる。
【００５６】
図２及び図３に示されたフィルタモジュール１４は、それぞれ１つのフィルタモジュールハウジング１５又は所定の寸法若しくは所定の外径あるいは内径及び所定の高さを有する（中空）円筒状の基本形状をもったフィルタ体収容空間１６を備えている。各フィルタ体収容空間１６は、その所定の寸法によって、幾何学的に規定されて構成されている。そのそれぞれの幾何学的に規定された構成により、フィルタ体収容空間１６内には、それぞれ幾何学的に規定して構成されたフィルタ体１８、すなわちこの実施例においては外径及び内径並びに高さあるいは全高が各フィルタ体収容空間１６の寸法に適合されているリング状の基本形状を有するフィルタ体１８の所定の数のみが収容され得る。
【００５７】
図２に示されているフィルタモジュール１４のフィルタ体収容空間１６内には例示的に５つのフィルタ体１８を収容することができ、これに対して、図３に示されているフィルタモジュール１４のフィルタ体収容空間１６内には例示的に１つのみの（唯一の）フィルタ体１８を収容することができる。
【００５８】
したがって、各フィルタ体収容空間１６は空間的に規定されたフィルタ体収容空間体積を有しており、このフィルタ体収容空間体積内には、幾何学的に規定されて構成されたフィルタ体１８のそれぞれ所定の数（のみ）が収容されることができるか、あるいは収容されている。幾何学的に規定されて構成されたフィルタ体の所定の数は、図３から分かるように、１の数とも理解され得る。すなわち、フィルタ体収容空間１６内には、１つのみの（唯一の）幾何学的に規定して構成されたフィルタ体１８が収容可能であり得るか、あるいは収容されることが可能である。場合によっては、図２に示されている実施例において唯一の長めのフィルタ体１８を配置することも考えられ、このフィルタ体の高さは、５つの個々のフィルタ体１８の全高に相当する。長めのフィルタ体１８は、その比較的大きな高さにより、幾何学的に規定された他の構成を個々のフィルタ体１８として備えることが可能である。
【００５９】
したがって、図２及び図３に示されているフィルタモジュール１４のフィルタモジュールハウジング１５は、幾何学的に規定されて構成されたフィルタモジュールハウジング側で含まれる各フィルタ体収容空間１６内に収容可能な、あるいは収容された幾何学的に規定して構成されたフィルタ体１８のそれぞれ所定の数において相違している。したがって、各フィルタモジュールハウジング１５のフィルタ体収容空間１６は、各フィルタ体収容空間体積において相違しており、上述のように、各フィルタ体収容空間１６内には幾何学的に規定して構成されたフィルタ体１８の所定の数のみが収容可能である。
【００６０】
図２に基づき、フィルタ体収容空間１６内に複数のフィルタ体１８が収容されている限り、これらが積層状に互いに重なり合って配置され得ることが分かる。このとき、ここではリング状のフィルタ体１８は、互いに一直線に配置されている。フィルタ体側で規定された各内部空間が互いに一直線となっている。各フィルタ体収容空間１６内での（位置）安定的なフィルタ体１８の配置を保証するために、フィルタ体１８は、圧力ばめあるいはプレスばめによって各フィルタ体収容空間１６内に収容されている。
【００６１】
図２及び図３に基づき、さらにフィルタモジュール１４の接続インターフェース１９，２０が見て取れ、これら接続インターフェースを介してフィルタモジュール１４が必要に応じて管路構造側の各接続インターフェース２１，２２に接続可能であるか、あるいは接続されている。管路構造側の接続インターフェース２１，２２は、フランジ範囲を含む接続パイプ部（不図示）を含むことが可能である。したがって、フィルタモジュール１４は、所定の付加的な構造工程のためにフィルタ装置７の効率的な動作を保証するために、必要に応じて交換されることが可能である。これにより、可変に適合可能なフィルタサイズを有するフィルタ装置７が存在する。フィルタサイズは、異なるフィルタモジュール１４によって、あるいは各フィルタモジュール１４のフィルタモジュールハウジング１５のフィルタ体収容空間１６内に収容されたフィルタ体１８の異なる数によって決定される。
【００６２】
フィルタモジュール側の各接続インターフェース１９，２０は、適切な固定要素及びシール要素（不図示）を含んでいる。フィルタモジュール側の各接続インターフェース１９，２０も、フランジ範囲を含み、適当な固定要素及びシール要素を有する接続パイプ部として形成されることが可能である。各固定要素は、フィルタモジュール１４を不動の位置固定された位置決めにおける装置側の接続インターフェース２１，２２に固定するために設置されることが可能である。固定要素は、管路構造側の接続インターフェース２１，２２へのフィルタモジュール７の例えば係合式及び／又は嵌合式の固定を可能とすることができる。管路構造側の接続インターフェース２１，２２へのフィルタモジュール７の係合式及び／又は嵌合式の固定を可能とする固定要素は、例えば固定クランプ（Ｂｅｆｅｓｔｉｇｕｎｇｓｓｃｈｅｌｌｅ）あるいは張力クランプ（Ｓｐａｎｎｓｃｈｅｌｌｅ）であり得る。したがって、適当な固定要素は、例えば部分リング状あるいは完全リング状の固定クランプあるいは張力クランプであり得る。適当なシール要素は、例えばシールリングであり得る。
【００６３】
全てのフィルタモジュール１４の接続インターフェース１９，２０は、同一に（同様に）構成されており、これにより、各フィルタモジュール１４の必要に応じた交換が容易化される。
【００６４】
図２及び図３において、所定の幾何学的に規定された構成、特に所定の長さのフィルタモジュール１４あるいはフィルタモジュールハウジング１５のみが、管路構造側の接続インターフェース２１，２２に接続可能であることが分かる。したがって、所定の幾何学的に規定された構成、特に所定の長さのフィルタモジュール１４あるいはフィルタモジュールハウジング１５のみが、管路構造側の接続インターフェース２１，２２に接続されることが可能である。したがって、フィルタモジュール１４は、幾何学的に規定された適当な構成、特に適当な長さを備えており、この構成は、管路構造側の接続インターフェース２１，２２へのフィルタモジュール１４の正確な接続を可能とするものである。図２及び図３に示されたフィルタモジュール１４あるいはフィルタモジュールハウジング１５の全長Ｌは同一である。
【００６５】
さらに、図２及び図３に基づき、プロセスガス９あるいはプロセスガス流が貫流可能な、あるいはフィルタ装置７の動作において貫流される流れ通路構造２５が各フィルタモジュールハウジング１５内に形成され得ることが分かる。流れ通路構造２５は、フィルタされるべきプロセスガス９あるいはフィルタされるべきプロセスガス流をフィルタモジュールへ流入させるための配管状の流入部分２６を含む第１の流れ通路構造部分２５ａと、フィルタされたプロセスガス９あるいはフィルタされたプロセスガス流をフィルタモジュール１４から流出させるための配管状の流出部分２７を含む第２の流れ通路構造部分２５ｂとを含んでいる。両流れ通路構造部分２５ａ，２５ｂは互いに連通している。各フィルタ体収容空間１６内に収容された１つ又は複数のフィルタ体１８は、第１の流れ通路構造部分２５ａと第２の流れ通路構造部分２５ｂの間に配置されている。第１の流れ通路構造部分２５ａ内には、フィルタされるべきプロセスガス９を特定してフィルタ体１８へガイドする、例えば円すい形の流れガイド要素２８が更に配置されている。
【００６６】
図２及び図３には、各フィルタモジュール１４がオプションでフィルタモジュールハウジング側に配置又は形成された閉鎖装置２３を含むことが可能であることが更に示されている。各フィルタモジュールハウジング１５は、各閉鎖装置２３によって閉鎖可能な、各フィルタ体収容空間１６へのアクセス可能性を形成するアクセス開口部（不図示）を備えている。閉鎖装置２３とアクセス開口部の相互作用によって、場合によっては、すなわち例えば保守点検の目的で必要な１つ又は複数のフィルタ体１８の交換が可能である。
【００６７】
閉鎖装置２３は、場合によっては可動にフィルタモジュールハウジング１５に配置あるいは形成されたカバー状の閉鎖要素２３を含んでいる。図２及び図３に示された実施例では、閉鎖要素２４は、配管状の流入部分２６を含む第１の流れ通路構造部分２５ａの一部によって形成されている。
【００６８】
閉鎖要素２４は、フィルタ体収容空間１６へのアクセスが可能であるように閉鎖要素２４がアクセス開口部に対して相対的に移動されている開放位置と、フィルタ体収容空間１６へのアクセスが不可能であるように閉鎖要素２４がアクセス開口部に対して相対的に移動されている閉鎖位置との間で（旋回）移動可能に支持されている。閉鎖要素２４は、閉鎖位置において、典型的にはフィルタ体収容空間１６が流体密に閉鎖されているようにアクセス開口部に対して相対的に、すなわち特にアクセス開口部に対して移動されている。
【図１】
2020022968.tif 000003
【図２】
2020022968.tif 000004
【図３】
2020022968.tif 000005